(57)【要約】【課題】上弁および下弁の間の空間の均圧化を図ってこの空間を構成する短管の内壁面へのダストの付着を防止するとともに、上弁付近に堆積するダストの流動化を促進してダストの噛み込みによる上弁の作動不良の発生を防止する。【解決手段】集塵機に設けられてダストを収容するホッパの下部に配置されるダスト排出口を備えるとともにこのダスト排出口が、ホッパからのダストの流路を開閉する第１の開閉弁と、第１の開閉弁の下部に配置されてダストを下方へ導く中間流路と、中間流路の下部に配置されて中間流路を開閉する第２の開閉弁とを有する集塵機のダスト排出装置において、第１の開閉弁と第２の開閉弁との間の空間に気体を吹き込むための気体供給機構を備える集塵機のダスト排出装置である。【選択図】図２
2012045469.tif 000002
【特許請求の範囲】
【請求項１】
集塵機に設けられてダストを収容するホッパの下部に配置されるダスト排出口を備えるとともに、該ダスト排出口が、前記ホッパからのダストの流路を開閉する第１の開閉弁と、前記第１の開閉弁の下部に配置されて前記ダストを下方へ導く中間流路と、該中間流路の下部に配置されて該中間流路を開閉する第２の開閉弁とを有する集塵機のダスト排出装置において、
前記第１の開閉弁と前記第２の開閉弁との間の空間に気体を吹き込むための気体供給機構を備えること
を特徴とする集塵機のダスト排出装置。
【請求項２】
前記気体供給機構は、前記気体を、前記第１の開閉弁またはその近傍へ向けて、吹き込む請求項１に記載された集塵機のダスト排出装置。
【請求項３】
前記気体供給機構は、前記気体を、前記空間の内部の圧力が外気圧よりも高くなるように、吹き込み可能である請求項１または請求項２に記載された集塵機のダストの排出装置。
【請求項４】
さらに、前記ホッパの内部におけるダストの堆積状況の検出機構と、該検出機構の検出結果に基づいて前記気体供給機構からの気体の吹き込み圧を制御する制御機構とを備えることを特徴とする請求項１から請求項３までのいずれか１項に記載された集塵機の排出装置。
【請求項５】
集塵機に設けられてダストを収容するホッパの下部に配置されるとともに、前記ホッパからのダストの流路を開閉する第１の開閉弁と、前記第１の開閉弁の下部に配置されて前記ダストを下方へ導く中間流路と、該中間流路の下部に配置されて該中間流路を開閉する第２の開閉弁とを有するダスト排出口を備える集塵機のダスト排出装置を用い、閉められた前記第１の開閉弁および前記第２の開閉弁のうちの該第１の開閉弁を開くことによって前記ホッパの内部に収容されたダストを前記中間流路の内部に輸送し、前記第１の開閉弁を閉じた後に前記第２の開閉弁を開くことによって前記ダストを排出する集塵機の排出方法において、
前記第１の開閉弁と前記第２の開閉弁との間の空間に気体を吹き込むこと
を特徴とする集塵機のダスト排出方法。
【請求項６】
前記気体を、前記第１の開閉弁またはその近傍へ向けて、吹き込む請求項５に記載された集塵機のダスト排出方法。
【請求項７】
前記気体を、前記空間の内部の圧力が外気圧よりも高くなるように、吹き込む請求項５または請求項６に記載された集塵機のダスト排出方法。
【請求項８】
前記ホッパの内部におけるダストの堆積状況を検出し、該検出の結果に基づいて前記気体の吹き込み圧を制御することを特徴とする請求項５から請求項７までのいずれか１項に記載された集塵機のダスト排出方法。
【発明の詳細な説明】
【技術分野】
【０００１】
本発明は、集塵機のダスト排出装置および排出方法に関する。
【背景技術】
【０００２】
従来より、焼結鉱製造設備から排出される排ガス集塵用の集塵機のダスト処理設備には、密閉式チェーンコンベアで乾ダストとして搬出する方式が採用されていた。この方式は、シール性が高く連続的に安定してダストを排出することが可能であるものの、密閉式のケーシングや集塵機の全長にわたってチェーンコンベアを配置する必要があり、設備費が著しく嵩むという問題があった。
【０００３】
これに対し、ダストをスラリーとして処理する方式では、焼結主排電気集塵機で集塵された排ガス中のダストは集塵機下部のホッパに溜められ、ダスト排出口から排出されるために、設備費が安価である。しかし、集塵機の内部は運転時に負圧となっているため、ダスト排出口から外気を直接吸い込むと、内部の腐食ガスが結露して腐食促進の原因になる。また、吸い込まれた外気に水分が多量に含まれていると、ダストが固化して内部に固着し易くなる。そのため、ダスト排出口は、外気を吸い込み難い構造を有することが求められる。
【０００４】
特許文献１には、集塵機下部に遮断弁を介してダスト排出手段を設置し、これと着脱可能な可搬密閉式集塵ダスト貯蔵・搬送手段を設置し、ダスト排出手段と集塵機入側部を均圧配管で接続することにより、系外とは完全にシールして集塵ダストを排出する技術が開示されている。
【０００５】
特許文献２には、乾式集塵機の下部から切り出されたダストを、不活性ガスをキャリアガスとしてダストホッパに気流輸送し、キャリアガスと分離した後一時的に貯留し、その後、溶解型ミキサーで適当な濃度のスラリー状として系外に排出する技術が開示されている。
【０００６】
特許文献３には、円筒型集塵塔内に形成した複数のバグチャンバのそれぞれに配列した多数のバグフィルタに付着した微粉炭を含有するダストを、逆洗ファンからのクーリングガスにより周期的に順次逆洗すると同時に、各バグチャンバの上部、下部に配置した音波発生器に加圧窒素ガスを用いて出力した音響を印加することにより微粉炭を払い落す技術が開示されている。
【０００７】
さらに、特許文献４には、バクチャンバのホッパに集めたダストをダストピンに移した後、回転速度制御機能を有するロータリーバルブを、常時には、スラリーピット内のスラリーのダスト濃度が１５％以下の低濃度となるように低速度制御してスラリーピットに供給する技術が開示されている。
【０００８】
図５は、特許文献１〜４により開示されたダスト処理設備に共通するダスト排出口の主要部の構造を模式的に示す説明図である。
図５に示すように、特許文献１〜４により開示された技術は、いずれも、集塵機下部のホッパ１の下部に二重弁（図５に示す例では上弁としてシール性を重視してスライドゲート弁２を配置するとともに、短管３を介して下弁としてバタフライ弁４を配置する）を備えるダスト排出口５を設け、スライドゲート弁２およびバタフライ弁４を個々に開閉操作して、ホッパ１の内部に堆積したダスト６を断続的に落下させることにより、外気の吸い込みを防止しながらダスト６を排出する。
【先行技術文献】
【特許文献】
【０００９】
【特許文献１】特開平６−２３２１７号公報
【特許文献２】特開平１１−５０１１６号公報
【特許文献３】特開平１０−７１３１４号公報
【特許文献４】特開平４−３２６９１８号公報
【発明の概要】
【発明が解決しようとする課題】
【００１０】
図５に示すダスト排出口５では、特に上弁であるスライドゲート弁２のシール性能が良好に維持されていれば、集塵機に直接外気が流入することは殆どない。しかし、スライドゲート弁２およびバタフライ弁４で仕切られた空間である短管３の内部には、運転時の集塵機の内部が例えば−１３５０ｍｍＡｑと負圧であることから、バタフライ弁４の開閉動作により外気が直接吸い込まれる。この際、短管３の内部に吸い込まれた外気に水分が多く含まれていると、短管３の内壁面に付着したダスト６（例えば、嵩比重：１．０、粒径：１０μｍ以下が６０％）が固化し易くなり、ダスト排出口５の詰まりの原因となる。これは、ダストに水分を加えてスラリー化して処理するような湿式のダスト処理設備においては特に大きな課題となる。
【００１１】
また、ホッパ１の内部におけるダスト６の堆積量が増加すると、スライドゲート弁２の動作が悪くなり、ダスト６の排出や外気の吸い込み防止に支障をきたす。特に、スライドゲート弁２を開にしてダスト６を短管３の内部に落下させてからスライドゲート弁２を閉じようとしても、スライドゲート弁２が、スライドゲート弁２の移動方向へ例えば１００〜１５０ｍｍ程度の範囲において、短管３〜スライドゲート弁２の間において自重で押し固められて緻密な状態になったダスト６と干渉し、スライドゲート弁２が閉じなくなってしまう。
【課題を解決するための手段】
【００１２】
本発明者らは、上記課題を解決するための鋭意検討を重ねた結果、短管３の内部に気体を吹き込むことによって、（ａ）短管の内部の均圧化を図ることができるために短管３の内壁面へのダスト６の付着を防止できるとともに、（ｂ）短管３〜スライドゲート弁２の間に堆積するダスト６の流動化を図ることができるためにスライドゲート弁２の閉不良を防止できることを知見した。
【００１３】
具体的には、以下に列記する知見（Ａ）〜（Ｄ）を得て、本発明を完成した。
（Ａ）上弁（スライドゲート弁２）、短管３、および下弁（バタフライ弁４）により構成されるダスト排出口５を備える集塵機のダスト排出装置において、上弁２および下弁４で区切られた空間に気体（例えば空気）を、望ましくはこの空間内が外気に対して若干正圧になるように吹き込むことが可能な構成を採用することによって、上弁２および下弁４で区切られた空間内への外気流入を抑制または防止できるとともに、短管３〜上弁２の間に堆積するダスト６の流動化を図れること。
【００１４】
（Ｂ）実際には、集塵機に外気が常時入らないようにすれば充分であり、上弁２および下弁４間の空間３に外気が不可避的に流入するが、一回当たりの開閉操作は数秒間程度であることから、実際には殆ど問題にならないので、空間３を正圧にする必要は必ずしもないこと。
【００１５】
（Ｃ）上弁２および下弁４で区切られた空間３への気体（例えば空気）の吹き込みを、上弁２へ向けて行うことによって、上弁２付近のダストの撹拌（流動化）を強化でき、これにより上弁２の開閉動作の抵抗をいっそう低減できること。
【００１６】
（Ｄ）気体の吹き込み圧（量）を調整可能とし、またホッパ内のダスト６の堆積状況の検出機構を備えることによって、ホッパ内のダスト堆積量に応じて気体の吹き込み圧（量）を調整でき、上弁２の付近を確実に撹拌できること。
【００１７】
本発明は、集塵機に設けられてダストを収容するホッパの下部に配置されるダスト排出口を備えるとともにこのダスト排出口が、ホッパからのダストの流路を開閉する第１の開閉弁と、第１の開閉弁の下部に配置されてダストを下方へ導く中間流路と、中間流路の下部に配置されて中間流路を開閉する第２の開閉弁とを有する集塵機のダスト排出装置において、第１の開閉弁と第２の開閉弁との間の空間に気体を吹き込むための気体供給機構を備えることを特徴とする集塵機のダスト排出装置である。
【００１８】
別の観点からは、集塵機に設けられてダストを収容するホッパの下部に配置されるとともに、ホッパからのダストの流路を開閉する第１の開閉弁と、第１の開閉弁の下部に配置されてダストを下方へ導く中間流路と、この中間流路の下部に配置されて中間流路を開閉する第２の開閉弁とを有するダスト排出口を備える集塵機のダスト排出装置を用い、閉められた第１の開閉弁および第２の開閉弁のうちの第１の開閉弁を開くことによってホッパの内部に収容されたダストを中間流路の内部に輸送し、第１の開閉弁を閉じた後に第２の開閉弁を開くことによってダストを排出する集塵機の排出方法において、第１の開閉弁と第２の開閉弁との間の空間に気体を吹き込むことを特徴とする集塵機のダスト排出方法である。
【００１９】
これらの本発明では、気体供給機構は、気体を、第１の開閉弁またはその近傍へ向けて、吹き込むことが望ましい。
これらの本発明では、気体供給機構は、気体を、空間の内部の圧力が外気圧よりも高くなるように、吹き込み可能であることが望ましい。
【００２０】
さらにこれらの本発明では、ホッパの内部におけるダストの堆積状況の検出機構と、この検出機構の検出結果に基づいて気体供給機構からの気体の吹き込み圧を制御する制御機構とを備えることによって、ホッパの内部におけるダストの堆積状況を検出し、この検出の結果に基づいて気体の吹き込み圧を制御することが望ましい。
【発明の効果】
【００２１】
本発明に係る集塵機のダスト排出装置および排出方法により、上弁および下弁の間の空間の均圧化を図ってこの空間を構成する短管の内壁面へのダストの付着を防止できるとともに、上弁付近に堆積するダストの流動化を促進してダストの噛み込みによる上弁の作動不良の発生を防止できるようになる。
【図面の簡単な説明】
【００２２】
【図１】本発明を適用した焼結主排電機集塵機の構成を、一部簡略化および省略して示す説明図である。
【図２】本発明に係るダストの排出装置におけるダスト排出口を拡大して示す説明図である。
【図３】本発明に係るダストの排出装置の、通常時におけるダスト排出状況を示す説明図である。
【図４】本発明に係るダスト排出装置の、ダスト堆積時におけるダスト排出状況を示す説明図である。
【図５】図５は、特許文献１〜４により開示されたダスト処理設備に共通するダスト排出口の主要部の構造を模式的に示す説明図である。
【発明を実施するための形態】
【００２３】
以下、本発明を、添付図面を参照しながら詳細に説明する。なお、以降の説明では本発明を、焼結鉱製造設備から排出される排ガス集塵用の集塵機のダスト処理設備に適用する場合を例にとるが、本発明は、この集塵機のダスト処理設備の適用する場合に限定されるものではなく、例えば、高炉から排出された高炉ガスのダストを捕集する乾式集塵機等に適用することも可能である。
【００２４】
図１は、本発明を適用した焼結主排電機集塵機１０の構成を、一部簡略化および省略して示す説明図である。
焼結主排電機集塵機１０の内部には、図１中の矢印方向へ向けて、図示しない焼結鉱製造設備から排出される排ガス１１が流されている。排ガス１１は、焼結主排電機集塵機１０の下部に連通して配置されるダストホッパ１２−１、１２−２、１２−３、１２−４にそれぞれ分流される。
【００２５】
各ダストホッパ１２−１〜１２−４の下部には、ダスト排出口１３−１、１３−２、１３−３、１３−４がそれぞれ配置されている。なお、ダスト排出口１３−１〜１３−４はいずれも同一の構成および機能を有するので、以降の説明は、ダスト排出口１３−１を例にとって行う。
【００２６】
ダスト排出口１３−１は、第１の開閉弁１４、中間流路１５および第２の開閉弁１６を備える。
第１の開閉弁１４は、ダストホッパ１２−１からのダスト１７の流路を開閉する。ここで、焼結主排系統は外気吸込みにより焼結鉱生産量が低下する。また、焼結主排ガス中に含まれるＳＯｘ分により酸露点腐食が発生する。さらに、外気吸込みによりガス温度が低下し酸露点腐食を促進させる。このため、上弁である第１の開閉弁１４には、シール性が高いスライドゲート弁を用いることが望ましい。本例でもスライドゲート弁を用いる。
【００２７】
スライドゲート弁１４の開閉頻度、すなわちダスト排出装置２２の排出頻度は、操業上経験的に得られた値を、例えばタイマーにより設定すればよく、本例では１回／約６分間とした。なお、スライドゲート弁１４の一回の動作時間（閉⇒開⇒閉）は、１０秒弱程度である。
【００２８】
中間流路１５は、第１の開閉弁１４の下部に配置されてダスト１７を下方へ導く。中間流路１５は、例えば、内径３００ｍｍ、長さ３００ｍｍ程度の短管により構成されることが例示される。
【００２９】
第２の開閉弁１６は、中間流路１５の下部に配置されて中間流路１５を開閉する。第２の開閉弁１６は、設置スペースが小さく安定した開閉動作が可能なバタフライ弁を用いることが望ましい。本例でもバタフライ弁を用いる。
【００３０】
図１に示すように、ダスト排出口１３−１〜１３−４の下方には、ポンプ１８、配管１９、スラリーピット２０が設置され、ダスト排出口１３−１〜１３−４から排出される集塵ダスト１７をスラリー２１として系外へ排出する。実際には、スラリー２１を含む工水は循環させており、スラリーピット２０にある程度の量のスラリー２１が貯留された後に、系外に排出する。
【００３１】
図１に示す例では、ダストの処理方式が湿式（スラリー化）である場合を例にとったが、本発明はこの場合に限定されるものではなく、ダストのままコンベアやコンテナ等により系外に排出する方式（乾式）であってもよい。
【００３２】
本発明に係るダスト排出装置２２は、上述した第１の開閉弁１４と、中間流路１５と、第２の開閉弁１６とを有するダスト排出口１３−１を備える。
図２は、本発明に係るダストの排出装置２２におけるダスト排出口１３−１を拡大して示す説明図である。
【００３３】
ダスト排出装置２２は、さらに、気体供給機構２３と、必要に応じて、検出機構２４および制御機構２５とを備えるので、これらを順次説明する。
【００３４】
［気体供給機構２３］
気体供給機構２３は、第１の開閉弁１４と第２の開閉弁１６との間の空間に気体を吹き込むためのものである。具体的には、図２に示すように、スライドゲート弁１４とバタフライ弁１６の間の中間流路１５に、気体供給配管２６を取り付けることによって、気体供給機構２３を形成することが例示される。
【００３５】
この場合に、気体供給配管２６の取付向きを、スライドゲート弁１４の直下方向とすることによって、気体供給機構２３が、気体を、第１の開閉弁１４またはその近傍へ向けて、吹き込むことが望ましい。これにより、スライドゲート弁１４付近に堆積するダスト１７の流動化を促進してダスト１７の噛み込みによるスライドゲート弁１４の作動不良の発生を防止できるようになる。
【００３６】
また、気体供給機構２３は、気体を、空間の内部の圧力が外気圧よりも高くなるように、吹き込むことが望ましい。これにより、スライドゲート弁１４およびバタフライ弁１６で区切られた空間内への外気流入を確実に抑制または防止できるとともに、スライドゲート弁１４〜中間流路１５の間に堆積するダスト１７の流動化を確実に図ることができる。
【００３７】
さらに、気体供給機構２３が吹き込む気体は、例えば空気が例示されるが、例えば不活性ガス等の空気以外の気体であってもよい。
気体として吹き込む空気は、乾燥しているほうがよい。また、腐食ガスの結露防止の観点で、供給前の空気を加熱してもよい。実際には、外気が常時流入する程度でないと中間流路１５での結露および腐食は問題にならないと解される。
【００３８】
［検出機構２４および制御機構２５］
本発明では、ホッパ１２−１の内部におけるダスト１７の堆積状況の検出機構２４と、この検出機構２４の検出結果に基づいて気体供給機構２３からの気体の吹き込み圧を制御する制御機構２５とを備えることによって、ホッパ１２−１の内部におけるダスト１７の堆積状況を検出し、この検出の結果に基づいて気体の吹き込み圧を制御することが望ましい。
【００３９】
検出機構２４としては、この種の検出機構として周知慣用のものを用いればよく、本例では、超音波式レベル計を用いた。また、制御機構２５は、検出機構２４から入力されるダスト堆積状況情報Ｓに基づいて、気体供給機構２３の吹き込み圧制御部に制御信号Ｔを出力することができる機構であればよく、特定のものには限定されない。
【００４０】
図３は、本発明に係るダストの排出装置２２の、通常時におけるダスト排出状況を示す説明図であり、図４は、本発明に係るダスト排出装置２２の、ダスト堆積時におけるダスト排出状況を示す説明図である。
【００４１】
図３に示すように、ホッパ１２−１の内部におけるダスト１７の堆積量が零かあるいは少ない通常時には、気体供給機構２３からスライドゲート弁１４とバタフライ弁１６の間の中間流路１５の内部へ常時わずかに空気を流しながら、スライドゲート弁１４とバタフライ弁１６とを開閉してダスト１７を系外へ排出する。中間流路１５の内部の圧力は、最大でもごくわずかに正圧となる程度であり、例えば０．０５ｋｇｆ／ｃｍ２程度である。
【００４２】
そして、検出機構２４によりホッパ１２−１の内部におけるダスト１７の堆積状況を監視し、図４に示すようにダスト１７の堆積量が増加した場合には、制御装置２５により、気体供給機構２３からスライドゲート弁１４とバタフライ弁１６の間の中間流路１５の内部への空気の供給圧を、例えば０．６ｋｇｆ／ｃｍ２程度に高める。これにより、図４に示すように、堆積ダストを撹拌してスライドゲート弁１４の動作不良（閉不良）を防止する。
【００４３】
本発明に係る排出装置２２は、以上のように構成される。次に、この排出装置２２を用いてダスト１７を排出する状況を説明する。
図１において、スライドゲート弁１４およびバタフライ弁１６のうちスライドゲート弁１４を開くことによってホッパ１２−１の内部に収容されたダスト１７を中間流路１５の内部に輸送する。次に、スライドゲート弁１４を閉じた後にバタフライ弁１６を開くことによってダスト１７を排出する。
【００４４】
この際、スライドゲート弁１４とバタフライ弁１６との間の空間に気体を吹き込むことによって、中間流路１５の内部の均圧化を図ることができるために中間流路１５の内壁面へのダスト１７の付着を防止できるとともに、中間流路１５〜スライドゲート弁１４の間に堆積するダスト１７の流動化を図ることができるためにスライドゲート弁１４の閉不良を防止できる。
【００４５】
気体の吹き込みの時期は、少なくとも、スライドゲート弁１４の開きを開始する時から閉まりを完了する時までの期間であることが、上記効果を確実に得るためには望ましい。
【符号の説明】
【００４６】
１  ホッパ
２  スライドゲート弁
３  短管
４  バタフライ弁
５  ダスト排出口
６  ダスト
１０  焼結主排電機集塵機
１１  排ガス
１２−１〜１２−４  ダストホッパ
１３−１〜１３−４  ダスト排出口
１４  第１の開閉弁
１５  中間流路
１６  第２の開閉弁
１７  ダスト
１８  ポンプ
１９  配管
２０  スラリーピット
２１  スラリー
２２  ダスト排出装置
２３  気体供給機構
２４  検出機構
２５  制御機構
２６  気体供給配管
【図１】
2012045469.tif 000003
【図２】
2012045469.tif 000004
【図３】
2012045469.tif 000005
【図４】
2012045469.tif 000006
【図５】
2012045469.tif 000007